(57)【要約】【課題】係合爪が係合解除位置から係合位置に戻ったことを確認でき、かつ、係合爪が位置への復帰途中で停止することを回避できるロック装置を提供すること。【解決手段】係合爪１３２ａ、１３２ｂ、１３２ｃ、１３２ｄを開放位置から係合位置へと付勢する付勢部（コイルばね１４３、１４４）と、係合爪１３２ａ、１３２ｂ、１３２ｃ、１３２ｄを開放位置に維持するストッパー１５０と、ユーザによって解除レバー１３３が操作されてから、所定期間が経過した後に、ストッパー１５０による係合爪１３２ａ、１３２ｂ、１３２ｃ、１３２ｄの開放位置への維持を解除する解除部（コイルばね１４９、ダンパー１４８、連結部材のテーパ面１４６ｂ）と、を設けた。【選択図】図６
2014165469.tif 000002
【特許請求の範囲】
【請求項１】
載置台に載置される電子器械を着脱自在に保持するロック装置であって、
前記載置台に設けられ、係合位置において前記電子器械の一部に係合することにより前記電子器械の抜脱方向への移動を規制し、開放位置において前記電子器械の前記抜脱方向への移動を開放する係合爪と、
前記係合爪を前記開放位置から前記係合位置へと付勢する付勢部と、
前記係合爪を前記開放位置に維持するストッパーと、
ユーザによって解除レバーが操作されてから、所定期間が経過した後に、前記ストッパーによる前記係合爪の前記開放位置への維持を解除する解除部と、
を具備するロック装置。
【請求項２】
前記解除部は、
前記解除レバーと前記係合爪とを連結するための部材であり、ユーザによる前記解除レバーの操作に連動して第１位置から第２位置へと変位することで、前記係合爪を前記係合位置から前記開放位置へと移動させる連結部材と、
前記連結部材を前記第２位置から前記第１位置へと付勢する付勢部と、
前記付勢部による付勢力によって前記連結部材が前記第２位置から前記第１位置へと復帰する復帰速度を減速するダンパーと、
を有し、
前記連結部材における、前記第２位置から前記第１位置への復帰過程において、前記ストッパーによる前記係合爪の前記開放位置への維持を解除する、
を具備する請求項１に記載のロック装置。
【請求項３】
前記載置台の上面に上方に開口して形成され、上方から前記電子器械の一部が挿入される凹部を、さらに具備し、
前記係合爪によって前記電子器械の抜脱方向への移動を規制すると共に、前記凹部によって前記電子器械の載置面の面方向への移動を規制する、
請求項１又は請求項２に記載のロック装置。
【発明の詳細な説明】
【技術分野】
【０００１】
本発明は、例えば医療用ポータブルモニタシステムに用いられるロック装置に関する。
【背景技術】
【０００２】
病院などの医療現場においては、一人一人の患者の生体情報（例えば、心電図、血圧、呼吸回数、脈拍など）を、随時、収集したり、分析したり、表示したりすることが必要となる。また、患者は、病室、検査室、手術室などを移送されることになるので、その患者の生体情報の収集も患者の移動と一緒に行う必要がある。そこで、ポータブルディスプレイ、データ記憶装置、及び、各種医療機器との通信が可能なインターフェースなどを備えた小型の医療用ポータブルモニタシステム（例えば特許文献１、２参照）が広く用いられている。
【０００３】
このようなポータブルモニタシステムを用いれば、移送中の患者の生体情報も途切れなく記録したり表示したりすることができる。
【０００４】
また、医療用ポータブルモニタシステムにおいては、システムを構成する各装置がドッキング及び取り外し可能に構成されており、これにより、状況に応じて、必要な装置のみを持ち運ぶことができるようになっている。
【０００５】
ここで、医療用ポータブルモニタシステムにおいては、システムをどのような装置（ユニット）単位に分割して構成するかや、各装置をどのようにドッキングさせるかには、種々の形態が考えられる。
【０００６】
これら多くの形態の中で、特許文献３には、載置台にベッドサイドモニタをドッキングさせる構成が記載されている。特許文献３で開示されたロック装置は、載置台の凹部に係合爪を設け、ベッドサイドモニタ等の電子器械を凹部内の係合爪で係止することにより、電子器械の水平方向（すなわち載置台の面方向）の移動を凹部によって規制し、抜脱方向の移動を係合爪によって規制するようになっている。この結果、載置台上に電子器械をロックすることができる。また、ユーザがロック解除レバーを操作すると、それに応動して係合爪が係合位置から後退する。この結果、係合爪と電子器械との係合が解除され、電子器械のロックが解除される。さらに、係合解除位置から係合位置に復帰する係合爪を減速するダンパーを設け、係合爪をゆっくりと係合位置に復帰させることで、ユーザが余裕をもって載置台から電子器械を取り外すことができるようになっている。
【先行技術文献】
【特許文献】
【０００７】
【特許文献１】特表平８−５０４３４５号公報
【特許文献２】特表平８−５０４５３１号公報
【特許文献３】特開２００９−４９１０５号公報
【発明の概要】
【発明が解決しようとする課題】
【０００８】
ところで、特許文献３の構成によれば、係合爪を係合位置に復帰させようとする付勢力をダンパーで減衰させることで、係合爪をゆっくりと係合位置に復帰させるようになっている。このため、ユーザは、ダンパーがなく係合爪が瞬時に復帰する構成と比較して、係合爪が係合位置まで復帰したか否かを、確認しにくい。また、ダンパーによって復帰させようとする付勢力を減衰してしまっているので、ダンパーがない場合と比較して、復帰途中で係合爪が停止して、係合位置まで戻らない可能性がある。
【０００９】
本発明は、以上の点を考慮してなされたものであり、係合爪が係合解除位置から係合位置に戻ったことを容易に確認でき、かつ、係止爪が係合解除位置への復帰途中で停止することを回避できるロック装置を提供する。
【課題を解決するための手段】
【００１０】
本発明のロック装置の一つの態様は、
載置台に載置される電子器械を着脱自在に保持するロック装置であって、
前記載置台に設けられ、係合位置において前記電子器械の一部に係合することにより前記電子器械の抜脱方向への移動を規制し、開放位置において前記電子器械の前記抜脱方向への移動を開放する係合爪と、
前記係合爪を前記開放位置から前記係合位置へと付勢する付勢部と、
前記係合爪を前記開放位置に維持するストッパーと、
ユーザによって解除レバーが操作されてから、所定期間が経過した後に、前記ストッパーによる前記係合爪の前記開放位置への維持を解除する解除部と、
を有する。
【発明の効果】
【００１１】
本発明によれば、係合爪が開放位置から係合位置に戻ったことを容易に確認でき、かつ、係合爪が係合位置への復帰途中で停止することを回避できるようになる。
【図面の簡単な説明】
【００１２】
【図１】実施の形態に係る医療用ポータブルモニタシステムの全体構成を示す斜視図
【図２】一体とされた医療用ポータブルモニタシステムを前面斜め方向から見た斜視図
【図３】一体とされた医療用ポータブルモニタシステムを背面斜め方向から見た斜視図
【図４】キャリアを下面斜め方向から見た斜視図
【図５】ポータブルディスプレイを背面斜め方向から見た斜視図
【図６】ロック装置におけるロック状態を示す図であり、図６Ａはロック装置を上面側から見た斜視図、図６Ｂはロック装置を下面側から見た斜視図
【図７】レバーの動きがストッパーによって規制された状態を示す図であり、図７Ａはロック装置を上面側から見た斜視図、図７Ｂはロック装置を下面側から見た斜視図
【図８】レバーがストッパーから開放された状態を示す図であり、図８Ａはロック装置を上面側から見た斜視図、図８Ｂはロック装置を下面側から見た斜視図
【図９】ロック装置におけるロック状態を示す図であり、図９Ａはロック装置を上面側から見た斜視図、図９Ｂはロック装置を下面側から見た斜視図
【発明を実施するための形態】
【００１３】
以下、本発明の実施の形態について、図面を参照して詳細に説明する。
【００１４】
＜医療用ポータブルモニタシステムの全体構成＞
図１は、本発明の実施の形態に係る医療用ポータブルモニタシステムの全体構成を示す分解斜視図である。
【００１５】
医療用ポータブルモニタシステム１は、ベースユニット１００と、バッテリ付きキャリア（以下、単にキャリアと呼ぶ）２００と、インプットボックス３００と、ポータブルディスプレイ４００と、から構成される。ベースユニット１００はキャリア２００とドッキング可能とされ、キャリア２００はインプットボックス３００及びポータブルディスプレイ４００とドッキング可能とされている。これにより、医療用ポータブルモニタシステム１は、ベースユニット１００、キャリア２００、インプットボックス３００及びポータブルディスプレイ４００が一体となることが可能である。
【００１６】
図２及び図３に、全てのユニットがドッキングして一体となったときの様子を示す。図２は、一体とされた医療用ポータブルモニタシステム１を前面斜め方向から見た斜視図であり、図３は、一体とされた医療用ポータブルモニタシステム１を背面斜め方向から見た斜視図である。
【００１７】
ベースユニット１００は、ＡＣコンバータなどからなる電源ユニットや、バッテリ及び各種の入出力端子などを有する。また、ベースユニット１００の上面には、コネクタ部１１０及びロック部１３０が設けられている。このコネクタ部１１０及びロック部１３０は、図４に示すような、キャリア２００の下面に設けられた、コネクタ部２１０及びロック部２３０に係合する。因みに、ベースユニット１００のコネクタ部１１０は、コネクタ（図示せず）が開閉自在のシャッタ１１１、１１２によって覆われており、このシャッタ１１１、１１２は、キャリア２００がベースユニット１００にドッキングされる際にキャリア２００の下面に設けられた突起２１１、２１２によって開状態とされるようになっている。ロック部１３０による、ロックのための構成については、後で詳述する。
【００１８】
キャリア２００は、バッテリを内蔵する。キャリア２００は、インプットボックス３００及びポータブルディスプレイ４００とドッキングしたときに、インプットボックス３００及びポータブルディスプレイ４００に電源を供給する。キャリア２００とポータブルディスプレイ４００のドッキングは、図５に示すように、ポータブルディスプレイ４００の背面に突設された差込部４１０を、キャリア２００に形成された差込口２１０に、キャリア２００の上方から挿し込むことで行われる。キャリア２００とインプットボックス３００のドッキングは、キャリア２００の側方からインプットボックス３００を差し込み、スライドさせることにより行われる。
【００１９】
キャリア２００には取っ手２０１が設けられており、ユーザは取っ手２０１を握ってキャリア２００を持ち運ぶことができる。通常、ユーザは、キャリア２００にインプットボックス３００をドッキングさせた状態で（場合によってはポータブルディスプレイ４００もドッキングさせて）、患者の移動に合わせてキャリア２００を持ち運び、患者の生体情報をインプットボックス３００に記録する。そして、充電が必要になったときや、据置型として用いる場合などに、キャリア２００をベースユニット１００にドッキングさせる。
【００２０】
インプットボックス３００は、複数の端子３０１を有し、この端子３０１を介して心電電極、血圧測定用カフなどの種々の医療用センサに接続可能となっている。また、インプットボックス３００は、記憶部を有し、端子３０１から入力したセンシング結果を基に計測した心電図、血圧、呼吸回数、脈拍などの生体情報を記憶できるようになっている。
【００２１】
本実施の形態では、インプットボックス３００は、キャリア２００とドッキングされるとキャリア２００から電源が供給されるので、患者の移送時などにも患者の生体情報をインプットボックス３００に記憶させることができるようになる。この結果、途切れのない生体情報を記録できる。
【００２２】
ポータブルディスプレイ４００は、表示部４０１がタッチパネル構成となっている。また、ポータブルディスプレイ４００は、上部にインジケータ４０２が設けられ、このインジケータ４０２は患者の生体情報に基づいて患者の容体が危険になった場合などに点灯するようになっている。さらに、図５に示すように、ポータブルディスプレイ４００の背面には取っ手４０３が設けられており、ユーザは取っ手４０３を握ってポータブルディスプレイ４００を持ち運ぶことができる。
【００２３】
＜ベースユニット上にキャリアをロックさせるための機構＞
次に、ベースユニット１００に設けられたロック部１３０の構成について説明する。
【００２４】
図１に示すように、ベースユニット１００の載置面には、凹部１３１が形成されている。凹部１３１には、係合爪１３２ａ、１３２ｂ、１３２ｃ、１３２ｄが設けられている。係合爪１３２ａ、１３２ｂ、１３２ｃ、１３２ｄは、ユーザによる解除レバー１３３の操作に連動して、出没するようになっている。具体的には、ユーザが解除レバー１３３を、図中の左方向にスライドさせると、係合爪１３２ａ、１３２ｂ、１３２ｃ、１３２ｄが引っ込むようになっている。
【００２５】
図４に示すように、キャリア２００のロック部２３０には、ベースユニット１００の凹部１３１に嵌合する凸部２３１が形成されている。凸部２３１の側面には、係合溝２３２ａ、２３２ｂ、２３２ｃ、２３２ｄが形成されており、凹部１３１に凸部２３１が入り込むと共に、係合溝２３２ａ、２３２ｂ、２３２ｃ、２３２ｄに係合爪１３２ａ、１３２ｂ、１３２ｃ、１３２ｄが係合することで、ベースユニット１００上にキャリア２００がロックされるようになっている。
【００２６】
具体的には、ベースユニット１００の上方からキャリア２００が挿入されると、凹部１３１と凸部２３１とが嵌合することにより、キャリア２００が載置面の面方向へ移動することが規制される。また、係合爪１３２ａ、１３２ｂ、１３２ｃ、１３２ｄが係合溝２３２ａ、２３２ｂ、２３２ｃ、２３２ｄに係合することで、キャリア２００が抜脱方向へ移動することが規制される。
【００２７】
次に、図６、図７、図８及び図９を用いて、本実施の形態のロック部１３０のロック機構について詳細に説明する。図６−図９は、ベースユニット１００に内蔵されているロック部１３０の内部構成を示すものである。また、図６Ａ、図７Ａ、図８Ａ及び図９Ａはロック部１３０の内部構成を上面方向から見た斜視図であり、図６Ｂ、図７Ｂ、図８Ｂ及び図９Ｂはロック部１３０の内部構成を下面方向から見た斜視図である。
【００２８】
図６Ａに示すように、係合爪１３２ａ及び係合爪１３２ｂは第１基体１４１に形成されており、係合爪１３２ｃ及び係合爪１３２ｄは第２基体１４２に形成されている。第１基体１４１及び第２基体１４２は、別体であり、係合爪１３２ａ、１３２ｂと、係合爪１３２ｃ、１３２ｄとが矢印ａで示す接近する方向及び矢印ｂで示す離間する方向に移動できるように、ベースユニット１００のシャーシに摺動自在に取り付けられている。
【００２９】
第１基体１４１及び第２基体１４２には、コイルばね１４３、１４４が懸架されている。これにより、第１基体１４１及び第２基体１４２は、コイルばね１４３、１４４によって矢印ａで示す接近する方向に付勢されている。
【００３０】
また、第１基体１４１及び第２基体１４２は、レバー１４５の回転軸に形成された歯車１４５ａに歯合されている。これにより、第１基体１４１及び第２基体１４２は、歯車１４５ａが図６Ａの時計方向に回転すると矢印ｂで示す離間する方向に移動し、歯車１４５ａが反時計方向に回転すると矢印ａで示す接近する方向に移動するようになっている。ここで、第１基体１４１及び第２基体１４２は、コイルばね１４３、１４４によって互いに接近する方向に付勢されているので、この付勢力によってレバー１４５は回転軸を中心に図中の反時計方向に回転付勢され、レバー１４５の遊端１４５ｂは図中の矢印ｃの方向に付勢される。
【００３１】
レバー１４５の遊端１４５ｂは、連結部材１４６の長孔１４６ａに係合されている。連結部材１４６は、レバー１４５と解除レバー１３３とを連結している。連結部材１４６は、シャーシ１４７を挟んで、解除レバー１３３に結合されており、解除レバー１３３と一体に矢印ｄ方向及びそれとは逆方向にスライド可能になっている。また、連結部材１４６は、図６Ｂに示すように、ダンパー１４８の歯車１４８ａに歯合している。ダンパー１４８は、連結部材１４６の矢印ｃの方向への移動を減速させる機能をもつものである。解除レバー１３３とシャーシ１４７との間には、コイルばね１４９が設けられている。
【００３２】
さらに、レバー１４５の遊端１４５ｂの近傍には、ストッパー１５０が設けられている。ストッパー１５０は、一端がベースユニット１００のシャーシに回転自在に取り付けられている。ストッパー１５０の遊端には、上方に突出した突起１５０ａが設けられている。また、ストッパー１５０の遊端とベースユニット１００のシャーシの間にはコイルばね１５０ｂが設けられており、これにより、ストッパー１５０の遊端は上方に付勢されている。
【００３３】
次に、本実施の形態のロック機構の動作について説明する。
【００３４】
図６は、ロック状態を示す図である。つまり、ベースユニット１００のロック部１３０（図１）の凹部１３１にキャリア２００（図４）の凸部２３１が嵌合され、係合溝２３２ａ〜２３２ｄに係合爪１３２ａ〜１３２ｄが係合しているときの、ロック機構の状態を示す。
【００３５】
図６のロック状態から、ユーザが解除レバー１３３をコイルばね１４９の付勢力に逆らって矢印ｄの方向に付勢すると、図７に示すロック解除状態となる。図６から図７へと遷移させるロック解除動作において、連結部材１４６が解除レバー１３３と一体となって矢印ｄの方向に移動する。すると、連結部材１４６に連結されたレバー１４５の遊端１４５ｂが矢印ｄの方向に移動し、レバー１４５の歯車１４５ａが時計方向に回転することで、係合爪１３２ａ、１３２ｂと係合爪１３２ｃ、１３２ｄとが矢印ｂで示す離間方向に移動する。この結果、係合爪１３２ａ〜１３２ｄが係合溝２３２ａ〜２３２ｄから退避した開放位置へと移動し、ロック解除状態となる。
【００３６】
このとき、図７に示すように、レバー１４５の下面に当接していたストッパー１５０の突起１５０ａが、レバー１４５が矢印ｄの方向に移動することで開放されて、上方に跳ね上がる。これにより、レバー１４５の遊端１４５ｂの矢印ｃの方向への移動がストッパー１５０によって規制されて停止される。この結果、係合爪１３２ａ〜１３２ｄが開放位置に維持される。
【００３７】
次に、ユーザが解除レバー１３３を離すと、解除レバー１３３はコイルばね１４９の付勢力によって矢印ｃの方向にスライドし、この解除レバー１３３と一体となって連結部材１４６も矢印ｃの方向にスライドする。この矢印ｃ方向へのスライドは、ダンパー１４８の作用により、ゆっくりとした速度で行われる。
【００３８】
かかる構成に加えて、連結部材１４６の下面には、連結部材１４６が矢印ｃの方向にスライドするに従って、ストッパー１５０の突起１５０ａを下方に押し下げるようなテーパ面１４６ｂが形成されている。これにより、連結部材１４６が矢印ｃの方向にゆっくりとスライドするとこれに従ってストッパー１５０の突起１５０ａが下がっていき、やがて、図８に示すように、レバー１４５がストッパー１５０から開放される。
【００３９】
すると、図９に示すように、ストッパー１５０及びレバー１４５によって動きが規制されていた第１基体１４１及び第２基体１４２が、コイルばね１４３、１４４の付勢力によって矢印ａで示す接近する方向に一気に移動する。この結果、係合爪１３２ａ、１３２ｂと係合爪１３２ｃ、１３２ｄは、開放位置から係合位置へと復帰する。
【００４０】
このように、実施の形態において、連結部材１４６及びダンパー１４８は、ユーザによって解除レバー１３３が操作されてから、所定期間が経過した後に、ストッパー１５０による係合爪１３２ａ〜１３２ｄの開放位置への維持を解除する解除部として機能する。このような、解除部を設けたことにより、ユーザが解除レバー１３３から手を離してから所定期間は係合爪１３２ａ〜１３２ｄが係合位置に戻らない。よって、ユーザは余裕をもってベースユニット１００からキャリア２００を引き上げることができる。因みに、この所定期間の長さは、コイルばね１４９の付勢力、ダンパー１４８の減速力、及びテーパ面１４６ｂの長さによって決まる。ストッパー１５０による開放位置への維持が解除されると、係止爪１３２ａ〜１３２ｄはコイルばね１４３、１４４の付勢力をそのまま受けて（つまりダンパー等の減速手段を介さずに受けて）係合位置へと瞬時に復帰する。この結果、ユーザは、係合爪１３２ａ〜１３２ｄがゆっくりと復帰する場合と比較して、係合爪１３２ａ〜１３２ｄが係合位置まで復帰したことを視覚的に容易に確認できる。また、瞬時に復帰するので、例えば「バンッ」といった機械的な音も発生し、聴覚的にも係合爪１３２ａ〜１３２ｄの復帰を確認できる。さらに、復帰しようとする付勢力をダンパーによって弱めていないので、ダンパーを介在させる場合と比較して、復帰途中で係合爪が停止してしまうといった可能性を小さくできる。
【００４１】
以上説明したように、本実施の形態によれば、係合爪１３２ａ、１３２ｂ、１３２ｃ、１３２ｄを開放位置から係合位置へと付勢する付勢部（コイルばね１４３、１４４）と、係合爪１３２ａ、１３２ｂ、１３２ｃ、１３２ｄを開放位置に維持するストッパー１５０と、ユーザによって解除レバー１３３が操作されてから、所定期間が経過した後に、ストッパー１５０による係合爪１３２ａ、１３２ｂ、１３２ｃ、１３２ｄの開放位置への維持を解除する解除部（コイルばね１４９、ダンパー１４８、連結部材のテーパ面１４６ｂ）と、を設けた。これにより、係合爪１３２ａ、１３２ｂ、１３２ｃ、１３２ｄが開放位置から係合位置に戻ったことを容易に確認でき、かつ、係合爪１３２ａ、１３２ｂ、１３２ｃ、１３２ｄが係合位置への復帰途中で停止することを回避できるロック装置を実現できる。
【００４２】
なお、上述の実施の形態のロック装置によける機構は、好ましい一つの形態であり、その機構を適宜変更して実施できる。本発明のロック装置は、載置台に載置される電子器械を着脱自在に保持するロック装置であって、前記載置台に設けられ、係合位置において前記電子器械の一部に係合することにより前記電子器械の抜脱方向への移動を規制し、開放位置において前記電子器械の前記抜脱方向への移動を開放する係合爪と、前記係合爪を前記開放位置から前記係合位置へと付勢する付勢部と、前記係合爪を前記開放位置に維持するストッパーと、ユーザによって解除レバーが操作されてから、所定期間が経過した後に、前記ストッパーによる前記係合爪の前記開放位置への維持を解除する解除部と、を有する構成であればよい。
【００４３】
また、上述の実施の形態では、本発明によるロック装置を、ベースユニット１００にキャリア２００をロックする装置として適用した場合について述べたが、載置台に載置される電子器械を着脱自在に保持するロック装置として広く適用可能である。
【００４４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００４５】
本発明は、例えば医療用ポータブルモニタシステムに用いられるロック装置として適用し得る。
【符号の説明】
【００４６】
１  医療用ポータブルモニタシステム
１００  ベースユニット
１１０  コネクタ部
１１１、１１２  シャッタ
１１３、２４３  コネクタ
１３０、２３０  ロック部
１３１  凹部
１３２ａ、１３２ｂ、１３２ｃ、１３２ｄ  係合爪
１３３  解除レバー
１４１、１４２  基体
１４３、１４４、１４９、１５０ｂ  コイルばね
１４５  レバー
１４５ａ  歯車
１４５ｂ  遊端
１４６  連結部材
１４６ａ  長孔
１４６ｂ  テーパ面
１４７  シャーシ
１４８  ダンパー
１５０  ストッパー
１５０ａ  突起
２００  キャリア
２３１  凸部
２３２ａ、２３２ｂ、２３２ｃ、２３２ｄ  係合溝
３００  インプットボックス
３０１  端子
４００  ポータブルディスプレイ
４０１  表示部
４０２  インジケータ
【図１】
2014165469.tif 000003
【図２】
2014165469.tif 000004
【図３】
2014165469.tif 000005
【図４】
2014165469.tif 000006
【図５】
2014165469.tif 000007
【図６】
2014165469.tif 000008
【図７】
2014165469.tif 000009
【図８】
2014165469.tif 000010
【図９】
2014165469.tif 000011